(57)【要約】      （修正有）【課題】ショーケース内のスペースを有効活用する。【解決手段】冷凍回路を備えるショーケースの庫内に取り付け可能な宅配ボックス２０であって、庫内の冷気を透過する板材５５を有する収納部２５と、収納部２５をショーケースの庫内に固定する固定リング２１と、を備える。【選択図】図５
2019205793.tif 000002
【特許請求の範囲】
【請求項１】
冷凍回路を備えるショーケースの庫内に取り付け可能な宅配ボックスであって、
前記庫内の冷気を透過する外側面を有する収納部と、
前記収納部を前記ショーケースの庫内に固定するボックス固定具と、を備えることを特徴とする宅配ボックス。
【請求項２】
前記外側面は、正面以外の面に設けられ、複数の通気孔を備えることを特徴とする請求項１に記載の宅配ボックス。
【請求項３】
前記収納部を開閉可能な収納部扉を備え、
前記収納部扉は、前記ショーケースに設けられるショーケース扉と干渉しないことを特徴とする請求項１または請求項２に記載の宅配ボックス。
【請求項４】
前記収納部扉を関係者以外が開閉できないように制御するセキュリティ機能を備えることを特徴とする請求項１から請求項３に何れか一項に記載の宅配ボックス。
【請求項５】
前記庫内に設けられる棚板固定用の棚板固定部に固定される固定部材をさらに備え、
前記ボックス固定具は、前記固定部材に固定されることを特徴とする請求項１から請求項４の何れか一項に記載の宅配ボックス。
【請求項６】
冷凍回路を備えるショーケースであって、
庫内に取り付け可能な宅配ボックスと、
前記庫内に設けられる棚板固定用の棚板固定部と、
前記棚板固定部に固定され、かつ、前記宅配ボックスと固定される固定部材と、
を備え、
前記宅配ボックスは、前記庫内の冷気を透過する外側面を有する収納部と、前記宅配ボックスを前記固定部材に固定するボックス固定具と、を備えることを特徴とするショーケース。
【請求項７】
前記外側面は、前記宅配ボックスの正面以外の面に設けられ、複数の通気孔を備えることを特徴とする請求項６に記載のショーケース。
【請求項８】
ショーケース扉を備え、
前記宅配ボックスは、前記収納部を開閉可能な収納部扉を備え、
前記収納部扉は、前記ショーケース扉と干渉しないことを特徴とする請求項６または請求項７に記載のショーケース。
【請求項９】
前記宅配ボックスは、前記収納部扉を関係者以外が開閉できないように制御するセキュリティ機能を備えることを特徴とする請求項６から請求項８に何れか一項に記載のショーケース。
【発明の詳細な説明】
【技術分野】
【０００１】
本発明は、例えばコンビニエンスストアやスーパーマーケットなどで使用される宅配ボックスおよびショーケースに関する。
【背景技術】
【０００２】
従来、例えばコンビニエンスストアやスーパーマーケットなどで冷凍・冷蔵用のショーケースが用いられている（例えば、特許文献１参照）。
これらコンビニエンスストアやスーパーマーケットなどでは、季節によって売れ筋の商品が変わるため、ショーケースに陳列する商品ごとの陳列量をその時々で増減させている。
【先行技術文献】
【特許文献】
【０００３】
【特許文献１】特開２０１８−０１９７６６号公報
【発明の概要】
【発明が解決しようとする課題】
【０００４】
しかしながら、売れ筋の変化によっては、ショーケース内に有効活用しきれないスペースが発生するため、季節的には売れない商品を、スペースを埋めるために余計に陳列するなどの対処を行うことがある。そのため、ショーケース内のスペースを必ずしも有効活用できない場合があり、この点について未だ改善の余地があった。
本発明は、上述した事情に鑑みてなされたものであり、ショーケース内のスペースを有効活用することができる宅配ボックスおよびショーケースを提供することを目的とする。
【課題を解決するための手段】
【０００５】
上記目的を達成するために、本発明は、冷凍回路を備えるショーケースの庫内に取り付け可能な宅配ボックスであって、前記庫内の冷気を透過する外側面を有する収納部と、前記収納部を前記ショーケースの庫内に固定するボックス固定具と、を備えることを特徴とする。
【発明の効果】
【０００６】
宅配ボックスの収納部には庫内の冷気が透過する。
そのため、本発明によれば、庫内の有効活用できていないスペースに宅配ボックスを固定することにより、庫内のスペースを有効活用することができる。
【図面の簡単な説明】
【０００７】
【図１】本発明の実施形態に係るショーケースを示す斜視図
【図２】ショーケース内部の正面図
【図３】ショーケースの断面図
【図４】宅配ボックスを示す斜視図
【図５】宅配ボックスを示す斜視図
【図６】宅配ボックスを示す斜視図
【図７】ショーケースを平面視した模式図
【図８】ショーケースを平面視した模式図
【図９】本発明の別の実施形態に係るショーケースの断面図
【図１０】宅配ボックスを示す斜視図
【図１１】固定部材を示す斜視図
【発明を実施するための形態】
【０００８】
第１の発明における宅配ボックスは、冷凍回路を備えるショーケースの庫内に取り付け可能な宅配ボックスであって、前記庫内の冷気を透過する外側面を有する収納部と、前記収納部を前記ショーケースの庫内に固定するボックス固定具と、を備えることを特徴とする。
宅配ボックスの収納部には庫内の冷気が透過する。
そのため、本発明によれば、庫内の有効活用できていないスペースに宅配ボックスを固定することにより、庫内のスペースを有効活用することができる。
【０００９】
第２の発明における宅配ボックスは、第１の発明において、前記外側面は、正面以外の面に設けられ、複数の通気孔を備えることを特徴とする。
この発明によれば、宅配ボックスに庫内の冷気を宅配ボックスの内部に取り込み易くなり、宅配ボックスを庫内に配置するための選択の余地が広がる。
【００１０】
第３の発明における宅配ボックスは、第１の発明または第２の発明において、前記収納部を開閉可能な収納部扉を備え、前記収納部扉は、前記ショーケースに設けられるショーケース扉と干渉しないことを特徴とする。
この発明によれば、庫内の有効活用できていないスペースに宅配ボックスを固定した場合にも、既存のショーケース扉と宅配ボックスとを並存させることが可能となり、庫内のスペースを有効活用することができる。
【００１１】
第４の発明における宅配ボックスは、第１の発明から第３の発明の何れかの発明において、収納部扉を関係者以外が開閉できないように制御するセキュリティ機能を備えることを特徴とする。
この発明によれば、庫内の有効活用できていないスペースに宅配ボックスを固定した場合において、宅配ボックスの関係者のみが宅配ボックスを利用可能とすることに資する。
【００１２】
第５の発明における宅配ボックスは、第１の発明から第４の発明の何れかの発明において、前記庫内に設けられる棚板固定用の棚板固定部に固定される固定部材をさらに備え、前記ボックス固定具は、前記固定部材に固定されることを特徴とする。
この発明によれば、既存のショーケースに設けられている棚板固定用の棚板固定部を、宅配ボックスを庫内に固定するに際して有効利用することができ、宅配ボックスを庫内に固定するにあたって、新たな部品定数が増加することを抑制できる。
【００１３】
第６の発明におけるショーケースは、冷凍回路を備えるショーケースであって、庫内に取り付け可能な宅配ボックスと、前記庫内に設けられる棚板固定用の棚板固定部と、前記棚板固定部に固定され、かつ、前記宅配ボックスと固定される固定部材と、を備え、前記宅配ボックスは、前記庫内の冷気を透過する外側面を有する収納部と、前記宅配ボックスを前記固定部材に固定するボックス固定具と、を備えることを特徴とする。
宅配ボックスの収納部には庫内の冷気が透過する。
そのため、本発明によれば、庫内の有効活用できていないスペースに宅配ボックスを固定することにより、庫内のスペースを有効活用することができる。
【００１４】
第７の発明におけるショーケースは、第６の発明において、前記外側面は、前記宅配ボックスの正面以外の面に設けられ、複数の通気孔を備えることを特徴とする。
この発明によれば、宅配ボックスに庫内の冷気を宅配ボックスの内部に取り込み易くなり、宅配ボックスを庫内に配置するための選択の余地が広がる。
【００１５】
第８の発明におけるショーケースは、第６の発明または第７の発明において、ショーケース扉を備え、前記宅配ボックスは、前記収納部を開閉可能な収納部扉を備え、前記収納部扉は、前記ショーケース扉と干渉しないことを特徴とする。
この発明によれば、庫内の有効活用できていないスペースに宅配ボックスを固定した場合にも、既存のショーケース扉と宅配ボックスとを並存させることが可能となり、庫内のスペースを有効活用することができる。
【００１６】
第９の発明におけるショーケースは、第６の発明から第８の発明の何れかの発明において、前記宅配ボックスは、前記収納部扉を関係者以外が開閉できないように制御するセキュリティ機能を備えることを特徴とする。
この発明によれば、庫内の有効活用できていないスペースに宅配ボックスを固定した場合において、宅配ボックスの関係者のみが宅配ボックスを利用可能とすることに資する。
【００１７】
以下、本発明の実施の形態について、図面を参照しながら説明する。なお、本実施の形態によって本発明が限定されるものではない。
【００１８】
＜第１の実施形態＞
図１は本発明の実施形態に係るショーケース１を示す斜視図である。図２は、ショーケース１内部の正面図である。図３は、ショーケース１の断面図である。図４から図６は、宅配ボックス２０の斜視図である。
図１におけるショーケース１の正面視を基準として、右側を右、左側を左、上側を上、下側を下、奥側を後、手前側を前、と定義する。また、ショーケース１における前後の方向を奥行き方向とし、ショーケース１における左右の方向を幅方向とし、ショーケース１における上下の方向を高さ方向とする。
【００１９】
ショーケース１は、例えばコンビニエンスストアやスーパーマーケットなどの用いられる冷凍・冷蔵用のショーケースである。ショーケース１は、不図示の冷凍回路を備えており、本体３の庫内１０を冷却する。
【００２０】
図１に示すように、ショーケース１は、本体３と、本体３の開口部５を開閉可能なショーケース扉７と、を備える。また、ショーケース１は、本体３の下部に不図示の機械室を備える。
本体３は、天井板１１と、左右の側板１３と、背板１５と、底板１７と、を備える。天井板１１、左右の側板１３、背板１５、および底板１７の内側には、庫内１０が設けられている。この庫内１０の前部には、開口部５が形成されている。
ショーケース扉７は片開きの開き戸となっている。ショーケース扉７の開閉により、開口部５が開閉される。ショーケース扉７の基部近傍には、庫内を照らす照明器具８が庫内１０の高さ方向全体にわたって設けられている。
また、庫内１０には、宅配ボックス２０が固定されている。
【００２１】
図２および図３に示すように、背板１５の左右端部には、それぞれに棚板固定用の背板金具４０が設けられている。左右の側板１３の前部には、それぞれに棚板固定用の側板金具４１が設けられている。
背板金具４０および側板金具４１は、それぞれに棚板固定用の棚板固定部４３を備える。棚板固定部４３は、高さ方向に複数設けられている。
これら背板金具４０および側板金具４１は、一般的なショーケースに取り付けられている棚板固定用の金具である。
【００２２】
棚板固定部４３には、図５および図６に示す棚板（固定部材）４５が固定される。
本実施の形態にかかる棚板４５は、既存のショーケース１に用いられているものである。
【００２３】
棚板４５は、宅配ボックス２０を庫内１０に固定しないときには、庫内１０の棚板として活用される。
もっとも、固定部材は、棚板として機能する部材に限るものではない。例えば、後述する第２の実施形態に示すレール部材１４５のように、固定部材は、既存のショーケース１が備える棚板固定部４３を利用して、宅配ボックス２０を庫内に固定可能とする部材であればよい。
【００２４】
図６に示す棚板４５は、ショーケース１の奥行き方向に延びる棒状部材４６と、棒状部材４６の下部に固定されショーケース１の左右方向に延びる板状部材４７と、により形成されている。また、棚板４５は、棒状部材４６の前端部と当接し、上方に延びる当接部４８を備える。
【００２５】
棒状部材４６は、左右方向に後述する固定リング（ボックス固定具）２１を挿入可能な程度の間隔Ｓ２をあけて複数設けられている。板状部材４７は、奥行き方向に間隔Ｓ２をあけて複数設けられている。この間隔Ｓ２は、間隔Ｓ１よりも広い。
当接部４８は、後述するように、宅配ボックス２０を棚板４５に固定するときに、宅配ボックス２０の前面板２６と当接する。固定リング２１により宅配ボックス２０を棚板４５に固定すると共に、当接部４８を前面板２６に当接させることにより、宅配ボックス２０をより安定して棚板４５に固定できる。
【００２６】
図４から図６に示すように、宅配ボックス２０は、庫内１０の冷気を透過する板材（外側面）５５を有する収納部２５と、宅配ボックス２０を棚板（固定部材）４５に固定する固定リング（ボックス固定具）２１と、を備える。
【００２７】
図１に示すように、収納部２５には、収納部開口２５Ａが設けられており、この収納部開口２５Ａには、内側収納部３５が収納されている。内側収納部３５の前端部には、収納部扉２７が備えられている。
【００２８】
図４から図６に示すように、収納部開口２５Ａの周囲には、前面板２６が設けられている。前面板２６は、収納部扉２７よりも周方向に大きく形成されている。
前面板２６には、固定リング２１を施錠し、または開錠するロック部２８が備えられている。このロック部２８は、左右に２か所設けられている。
【００２９】
図５に示すように、固定リング２１は、施錠されていない状態において下方に開口２２を備えるリング状に形成されている。
固定リング２１は、収納部２５の四隅の下部にそれぞれ備えられている。固定リング２１の数は任意に変更が可能である。
当接部４８を前面板２６の裏面に当接させ、固定リング２１の開口２２から固定リング２１内に棒状部材４６を入れ、ロック部２８により固定リング２１を施錠することにより、宅配ボックス２０は、棚板２４に固定される。
【００３０】
図１に示すように、収納部２５の外面は、庫内１０の冷気を透過する板材（外側面）５５を有する。詳細には、収納部２５の外側面、すなわち板材５５は、１ｃｍ四方程度の通気孔を全面に備えている。
また、内側収納部３５も、１ｃｍ四方程度の通気孔を全面に備える板材５５により形成されている。
収納部２５に内側収納部３５を収納したとき、これら板材５５に設けられる通気孔が互い違いとなるように、内側収納部３５は配置される。つまり、収納部２５に内側収納部３５を収納したときに、２枚の板材５５は、１ｃｍ四方程度の通気孔が互い違いとなるように重なる。
収納部２５の外面は、宅配ボックス２０であって、宅配ボックス２０の正面以外の全ての面に形成されている。
これにより、宅配ボックス２０を庫内１０のどの場所に配置しても、庫内１０の冷気を宅配ボックス２０の内部に取り込むことができる。また、宅配ボックス２０を庫内１０のどの場所に配置しても、庫内１０の冷気の流れを妨げることを抑制できる。また、宅配ボックス２０の利用者以外の者からみだりに宅配ボックス２０の内容を視認され、または触れられることを抑制できる。
【００３１】
なお、本実施の形態では、板材５５を１ｃｍ四方程度の通気孔を備えるものとしたが、必ずしも１ｃｍ四方に限るものではない。庫内１０の冷気を宅配ボックス２０の内部に取り込むことができるものであればよい。
【００３２】
また、通気孔は、必ずしも板材５５の全面に備えられることを要するものではなく、庫内１０の冷気を宅配ボックス２０の内部に取り込むことができるものであれば、その位置を適宜に調整することも可能である。
【００３３】
また、本実施の形態では、１枚の板材５５からなる収納部２５の内部に、一枚の板材５５からなる内側収納部３５を重ねることにより、２枚の板材５５に設けられる１ｃｍ四方程度の通気孔が互い違いとなるように重ねたが、収納部２５を２枚の板材５５により形成してもよい。この場合には、内側収納部３５を設けずに、収納部２５の前端部に開閉可能な収納部扉を設けることで、収納部２５を開閉してもよい。
【００３４】
宅配ボックス２０は、セキュリティ機能３０を備える。セキュリティ機能３０は、収納部扉２７の開閉を担保するものである。セキュリティ機能３０は、宅配ボックス２０の関係者のみが宅配ボックス２０を利用可能とするために設けられている。
本実施の形態においてセキュリティ機能３０は、収納部扉２７に設けられている。ナンバーをセキュリティ機能３０に入力することにより、収納部扉２７は開錠可能となる。
【００３５】
図７は、ショーケース扉７を開け、内側収納部３５を収納部２５から引き出した状態におけるショーケース１を平面視した模式図である。図８は、内側収納部３５を収納部２５に収納した状態におけるショーケース１を平面視した模式図である。
【００３６】
図７に示すように、収納部扉２７の幅方向の長さＷ１は、ショーケース扉７を開けた場合におけるショーケース１の入口幅Ｗ２の長さよりも短く形成されている。
これにより、ショーケース扉７を開けた場合には、収納部扉２７を開けたとしても、収納部扉２７は、ショーケース扉７と干渉しない。
【００３７】
図８に示すように、宅配ボックス２０は、ショーケース扉７を閉じた場合におけるショーケース扉７の後面７Ａよりも、庫内１０の内部側に位置するように配置されている。
すなわち、収納部扉２７を閉じている場合には、ショーケース扉７を閉じたとしても、収納部扉２７とショーケース扉７とが接触することがないように、収納部扉２７の厚みを設定している。
これにより、ショーケース扉７を閉じた場合にも、収納部扉２７は、ショーケース扉７と干渉しない。
【００３８】
次に、本実施形態の作用について説明する。
まず、宅配ボックス２０を棚板（固定部材）４５に固定する場合には、図５および図６に示すように、当接部４８を前面板２６の裏面に当接させ、固定リング２１の開口２２から固定リング２１内に棒状部材４６を入れる。
そして、ロック部２８により固定リング２１を施錠することにより、宅配ボックス２０を、棚板４５に固定する。
【００３９】
宅配ボックス２０を棚板４５に固定した状態を解除する場合には、まず、ロック部２８により固定リング２１を開錠する。
そして、開錠された固定リング２１の開口２２により、棒状部材４６を、固定リング２１から取り出す。
【００４０】
以上説明したように、本実施の形態に係る宅配ボックス２０は、不図示の冷凍回路を備えるショーケース１の庫内１０に取り付け可能な宅配ボックス２０であって、庫内１０の冷気を透過する板材（外側面）５５を有する収納部２５と、収納部２５をショーケース１の庫内１０に固定する固定リング（ボックス固定具）２１と、を備える。
宅配ボックス２０の収納部２５には庫内１０の冷気が透過する。
そのため、庫内１０の有効活用できていないスペースに宅配ボックス２０を固定することにより、庫内１０のスペースを有効活用することができる。季節や商品ごとに庫内１０の活用スペースは変化するため、季節や商品の変化に応じて柔軟に庫内１０のスペースを活用できるようになる。
【００４１】
また、本実施の形態に係る宅配ボックス２０は、収納部扉２７が設けられている正面以外の面に板材５５を備え、板材５５には、複数の通気孔が設けられている。
これによれば、宅配ボックス２０に庫内１０の冷気を宅配ボックス２０の内部に取り込み易くなり、宅配ボックス２０を庫内１０に配置するための選択の余地が広がる。
【００４２】
また、本実施の形態に係る宅配ボックス２０は、収納部扉２７は、ショーケース扉７と干渉しない。
これによれば、庫内１０の有効活用できていないスペースに宅配ボックス２０を固定した場合にも、既存のショーケース扉７と宅配ボックス２０とを並存させることが可能となり、庫内１０のスペースを有効活用することができる。
【００４３】
また、本実施の形態に係る宅配ボックス２０は、収納部扉２７を関係者以外が開閉できないように制御するセキュリティ機能３０を備える。
これによれば、庫内１０の有効活用できていないスペースに宅配ボックス２０を固定した場合において、宅配ボックス２０の関係者のみが宅配ボックス２０を利用可能とすることに資する。
【００４４】
また、本実施の形態に係る宅配ボックス２０は、固定部材として既存の棚板４５を用い、固定リング２１を、この既存の棚板４５に固定した。
これによれば、既存のショーケース１に設けられている棚板固定用の棚板固定部４３および棚板４５を、宅配ボックス２０を庫内１０に固定するに際して有効利用することができ、宅配ボックス２０を庫内１０に固定するにあたって、新たな部品定数が増加することを抑制できる。
【００４５】
また、本実施の形態に係るショーケース１は、冷凍回路を備えるショーケース１であって、庫内１０に取り付け可能な宅配ボックス２０と、庫内１０に設けられる棚板固定用の棚板固定部４３と、棚板固定部４３に固定され、かつ、宅配ボックス２０と固定される棚板（固定部材）４５と、を備え、宅配ボックス２０は、庫内１０の冷気を透過する板材（外側面）を５５有する収納部２５と、宅配ボックス２０を棚板４５に固定する固定リング（ボックス固定具）２１と、を備える。
宅配ボックス２０の収納部２５には庫内１０の冷気が透過する。
そのため、これによれば、庫内１０の有効活用できていないスペースに宅配ボックス２０を固定することにより、庫内１０のスペースを有効活用することができる。
【００４６】
＜第２の実施形態＞
第１の実施形態では、固定部材として既存の棚板４５を用いたが、第２の実施形態では、固定部材として、宅配ボックス２０を固定するための別部材であるレール部材（固定部材）１４５を用いている。このレール部材（固定部材）１４５も、既存のショーケース１に設けられている棚板固定用の棚板固定部４３を利用して固定されるものである点においては、第１の実施形態に係る固定部材である棚板４５と同様である。
なお、第２の実施形態において、第１の実施形態と同様の構成については同一の符号を付し、その説明を省略している。
【００４７】
図９は、第２の実施形態に係るショーケース１００の断面図である。図１０は、宅配ボックス１２０を示す斜視図である。
宅配ボックス１２０は、宅配ボックス１２０をレール部材１４５に固定する車輪（ボックス固定具）１２１を備える。
この車輪１２１は、収納部２５の四隅の下部にそれぞれ備えられている。車輪１２１の数は任意に変更が可能である。
【００４８】
図１１は、レール部材１４５の斜視図である。
レール部材１４５は、車輪１２１を案内する案内レール１５２を備える。
案内レール１５２は、レール部材１４５の長手方向の一側面１５８に沿って形成されている。案内レール１５２は、レール部材１４５の長手方向の一端部１５５側の端面１５０に対して閉じており、レール部材１４５の長手方向の他端部１５６側の端面１５１に対して開口している。この開口を端面開口１５７とする。
【００４９】
一端部側の端面１５０には、背板金具４０に設けられる棚板固定部４３と固定される第１レール固定部１５３が設けられている。
レール部材１４５の長手方向の側面であって、案内レール１５２を備える一側面１５８とは逆の面である他側面１５９の他端部１５６側には、側板金具４１に設けられる棚板固定部４３と固定される第２レール固定部１５４が設けられている。
【００５０】
前面板２６には、車輪１２１を施錠し、または開錠するロック部１２８が備えられている。このロック部１２８は、左右に２か所設けられている。
【００５１】
次に、本実施形態の作用について説明する。
まず、レール部材１４５を、背板金具４０および側板金具４１に設けられる棚板固定部４３に固定する。このとき、案内レール１５２が上向きとなり、かつ、端面開口１５７がショーケース１の前側に位置するように固定する。
次いで、端面開口１５７から車輪１２１を案内レール１５２に案内し、宅配ボックス１２０を庫内１０の所定の位置まで押込む。
そして、ロック部１２８により車輪１２１を施錠することにより、宅配ボックス１２０を、レール部材１４５に固定する。
【００５２】
宅配ボックスをレール部材１４５に固定した状態を解除する場合には、まず、ロック部１２８により車輪１２１を開錠する。
次いで、宅配ボックス１２０をショーケース１の手前側に引き出すことにより、宅配ボックス１２０を庫内１０から取り出す。
その後、レール部材１４５と背板金具４０および側板金具４１に設けられる棚板固定部４３との固定を解除し、レール部材１４５を庫内１０から取り外す。
【００５３】
以上説明したように、本実施の形態に係る宅配ボックス１２０は、冷凍回路を備えるショーケース１００の庫内に取り付け可能な宅配ボックス１２０であって、庫内１０の冷気を透過する板材（外側面）５５を有する収納部２５と、収納部２５をショーケース１００の庫内に固定する車輪（ボックス固定具）１２１と、を備え、庫内１０に設けられる棚板固定用の棚板固定部４３に固定されるレール部材（固定部材）１４５をさらに備え、車輪１２１は、レール部材１４５に固定されている。
宅配ボックス２０の収納部２５には庫内１０の冷気が透過する。
そのため、庫内１０の有効活用できていないスペースに宅配ボックス１２０を固定することにより、庫内１０のスペースを有効活用することができる。季節や商品ごとに庫内１０の活用スペースは変化するため、季節や商品の変化に応じて柔軟に庫内１０のスペースを活用できるようになる。
【００５４】
また、第２の実施形態においても、第１の実施形態と同様の構成について、第１の実施形態と同様の作用効果を奏するものであることは勿論である。
【００５５】
以上、本実施の形態に基づいて本発明を説明したが、本発明はこれらの実施形態に限定されるものではない。あくまでも本発明の実施の態様を例示するものであるから、本発明の趣旨を逸脱しない範囲で任意に変更、及び応用が可能である。
【００５６】
例えば、本実施の形態では、片開きの開き戸であるショーケース扉７を備えるショーケース１，１００を例示して説明したが、ショーケース扉はスライド扉であってもよい。
また、例えば、オープンショーケースであってもよいことは勿論である。
【００５７】
また、例えば、固定部材は、ボックス固定具の形状に対応させて、ボックス固定具と固定可能に形成された部分を備える棚板としてもよい。
【符号の説明】
【００５８】
１  ショーケース
７  ショーケース扉
１０  庫内
２０、１２０  宅配ボックス
２１  固定リング（ボックス固定具）
２５  収納部
２７  収納部扉
２８，１２８  ロック部
３０  セキュリティ機能
３５  内側収納部
４０  背板金具
４１  側板金具
４３  棚板固定部
４５  棚板（固定部材）
４７  棒状部材
５５  板材（外側面）
１２１  車輪（ボックス固定具）
１４５  レール部材（固定部材）
１５２  案内レール
１５５  長手方向の一端部
１５６  長手方向の他端部
１５７  端面開口
１５８  案内レールを備える一側面
１５９  案内レールを備える一側面とは逆の面である他側面
【図１】
2019205793.tif 000003
【図２】
2019205793.tif 000004
【図３】
2019205793.tif 000005
【図４】
2019205793.tif 000006
【図５】
2019205793.tif 000007
【図６】
2019205793.tif 000008
【図７】
2019205793.tif 000009
【図８】
2019205793.tif 000010
【図９】
2019205793.tif 000011
【図１０】
2019205793.tif 000012
【図１１】
2019205793.tif 000013